(57)【特許請求の範囲】
【請求項１】
相手先装置との間でＩＴＵ−Ｔ勧告Ｖ．８に規定される手順を実行する手順実行手段と、ＩＴＵ−Ｔ勧告に規定されたＶ．３４、Ｖ．１７、Ｖ．２９、Ｖ．２７terの画伝送モードによる画伝送を行う伝送手段とを有するファクシミリ装置において、
発呼時に、前記手順実行手段が、Ｖ．３４、Ｖ．２７ter 、Ｖ．２９、Ｖ．１７を指定したＣＭ信号を送信した際、Ｖ．３４が指定されているＪＭ信号を前記相手先装置から受信すると、前記手順実行手段によるＣＪ信号の送信後に、Ｖ．３４画伝送モードによる画伝送を行うために、前記伝送手段は、Ｖ．３４に規定されるINFO0c, INFO0a信号を送受信し、一方、Ｖ．３４は指定されていないがＶ．２７ter 、Ｖ．２９、Ｖ．１７の少なくとも１つが指定されているＪＭ信号を前記相手先装置から受信すると、前記手順実行手段によるＣＪ信号の送信後に、Ｖ．２７ter 、Ｖ．２９、Ｖ．１７のいずれかの画伝送モードによる画伝送を行うために、前記伝送手段は、Ｖ．２１に規定されるＤＩＳ信号を受信することを特徴とするファクシミリ装置。
【請求項２】
相手先装置との間でＩＴＵ−Ｔ勧告Ｖ．８に規定される手順を実行する手順実行手段と、ＩＴＵ−Ｔ勧告に規定されたＶ．３４、Ｖ．１７、Ｖ．２９、Ｖ．２７terの画伝送モードによる画伝送を行う伝送手段とを有するファクシミリ装置において、
着呼時に、前記手順実行手段が、Ｖ．３４が指定されているＣＭ信号を受信すれば、Ｖ．３４を指定するＪＭ信号を前記相手先装置へ送信し、前記手順実行手段によるＣＪ信号の受信後に、Ｖ．３４画伝送モードによる画伝送を行うために、前記伝送手段は、Ｖ．３４に規定されるINFO0c, INFO0a信号を送受信し、一方、Ｖ．３４は指定されていないが、Ｖ．２７ter、Ｖ．２９、Ｖ．１７の少なくとも１つが指定されているＣＭ信号を受信すれば、Ｖ．３４は指定しないが、ＣＭ信号により指定されたＶ．２７ter、Ｖ．２９、Ｖ．１７を指定するＪＭ信号を前記相手先装置へ送信し、前記手順実行手段によるＣＪ信号の受信後に、Ｖ．２７ter 、Ｖ．２９、Ｖ．１７のいずれかの画伝送モードによる画伝送を行うために、前記伝送手段は、Ｖ．２１に規定されるＤＩＳ信号を送信することを特徴とするファクシミリ装置。
【請求項３】
相手先装置との間でＩＴＵ−Ｔ勧告Ｖ．８に規定される手順を実行する手順実行工程と、ＩＴＵ−Ｔ勧告に規定されたＶ．３４、Ｖ．１７、Ｖ．２９、Ｖ．２７terの画伝送モードによる画伝送を行う伝送工程とを有するファクシミリ通信方法において、
発呼時に、前記手順実行工程で、Ｖ．３４、Ｖ．２７ter 、Ｖ．２９、Ｖ．１７を指定したＣＭ信号を送信した際、Ｖ．３４が指定されているＪＭ信号を前記相手先装置から受信すると、前記手順実行工程によるＣＪ信号の送信後に、Ｖ．３４画伝送モードによる画伝送を行うために、前記伝送工程では、Ｖ．３４に規定されるINFO0c, INFO0a信号を送受信し、一方、Ｖ．３４は指定されていないがＶ．２７ter 、Ｖ．２９、Ｖ．１７の少なくとも１つが指定されているＪＭ信号を前記相手先装置から受信すると、前記手順実行工程によるＣＪ信号の送信後に、Ｖ．２７ter 、Ｖ．２９、Ｖ．１７のいずれかの画伝送モードによる画伝送を行うために、前記伝送工程では、Ｖ．２１に規定されるＤＩＳ信号を受信することを特徴とするファクシミリ通信方法。
【請求項４】
相手先装置との間でＩＴＵ−Ｔ勧告Ｖ．８に規定される手順を実行する手順実行工程と、ＩＴＵ−Ｔ勧告に規定されたＶ．３４、Ｖ．１７、Ｖ．２９、Ｖ．２７terの画伝送モードによる画伝送を行う伝送工程とを有するファクシミリ通信方法において、
着呼時に、前記手順実行工程で、Ｖ．３４が指定されているＣＭ信号を受信すれば、Ｖ．３４を指定するＪＭ信号を前記相手先装置へ送信し、前記手順実行工程によるＣＪ信号の受信後に、Ｖ．３４画伝送モードによる画伝送を行うために、前記伝送工程では、Ｖ．３４に規定されるINFO0c, INFO0a信号を送受信し、一方、Ｖ．３４は指定されていないが、Ｖ．２７ter、Ｖ．２９、Ｖ．１７の少なくとも１つが指定されているＣＭ信号を受信すれば、Ｖ．３４は指定しないが、ＣＭ信号により指定されたＶ．２７ter、Ｖ．２９、Ｖ．１７を指定するＪＭ信号を前記相手先装置へ送信し、前記手順実行工程によるＣＪ信号の受信後に、Ｖ．２７ter 、Ｖ．２９、Ｖ．１７のいずれかの画伝送モードによる画伝送を行うために、前記伝送工程では、Ｖ．２１に規定されるDIS信号を送信することを特徴とするファクシミリ通信方法。
【発明の詳細な説明】
【０００１】
【産業上の利用分野】
本発明は、ファクシミリ装置およびファクシミリ通信方法に関する。
【０００２】
【従来の技術】
１９９４年、ＩＴＵ−Ｔにおいて、勧告Ｖ．８が成立し、このＶ．８に規定される手順をファクシミリ装置に適用することが考えられる。このＶ．８による手順が適用されるファクシミリ装置としては、Ｖ．３４に規定される手順、画伝送をサポートするファクシミリ装置が対象とされている。
【０００３】
【発明が解決しようとする課題】
しかし、現在のファクシミリ装置では、Ｖ．２１手順、Ｖ．２７ｔｅｒ、Ｖ．２９、またはＶ．１７画伝送をサポートし、現在のファクシミリ装置には、Ｖ．８手順を適用することができない。
【０００４】
本発明の目的は、Ｖ．８手順を有効に利用することができるファクシミリ装置およびファクシミリ通信方法を提供することにある。
【０００５】
【課題を解決するための手段】
請求項１記載の発明は、相手先装置との間でＩＴＵ−Ｔ勧告Ｖ．８に規定される手順を実行する手順実行手段と、ＩＴＵ−Ｔ勧告に規定されたＶ．３４、Ｖ．１７、Ｖ．２９、Ｖ．２７terの画伝送モードによる画伝送を行う伝送手段とを有するファクシミリ装置において、発呼時に、前記手順実行手段が、Ｖ．３４、Ｖ．２７ter 、Ｖ．２９、Ｖ．１７を指定したＣＭ信号を送信した際、Ｖ．３４が指定されているＪＭ信号を前記相手先装置から受信すると、前記手順実行手段によるＣＪ信号の送信後に、Ｖ．３４画伝送モードによる画伝送を行うために、前記伝送手段は、Ｖ．３４に規定されるINFO0c, INFO0a信号を送受信し、一方、Ｖ．３４は指定されていないがＶ．２７ter 、Ｖ．２９、Ｖ．１７の少なくとも１つが指定されているＪＭ信号を前記相手先装置から受信すると、前記手順実行手段によるＣＪ信号の送信後に、Ｖ．２７ter 、Ｖ．２９、Ｖ．１７のいずれかの画伝送モードによる画伝送を行うために、前記伝送手段は、Ｖ．２１に規定されるＤＩＳ信号を受信することを特徴とする。
【０００６】
請求項２記載の発明は、相手先装置との間でＩＴＵ−Ｔ勧告Ｖ．８に規定される手順を実行する手順実行手段と、ＩＴＵ−Ｔ勧告に規定されたＶ．３４、Ｖ．１７、Ｖ．２９、Ｖ．２７terの画伝送モードによる画伝送を行う伝送手段とを有するファクシミリ装置において、着呼時に、前記手順実行手段が、Ｖ．３４が指定されているＣＭ信号を受信すれば、Ｖ．３４を指定するＪＭ信号を前記相手先装置へ送信し、前記手順実行手段によるＣＪ信号の受信後に、Ｖ．３４画伝送モードによる画伝送を行うために、前記伝送手段は、Ｖ．３４に規定されるINFO0c, INFO0a信号を送受信し、一方、Ｖ．３４は指定されていないが、Ｖ．２７ter、Ｖ．２９、Ｖ．１７の少なくとも１つが指定されているＣＭ信号を受信すれば、Ｖ．３４は指定しないが、ＣＭ信号により指定されたＶ．２７ter、Ｖ．２９、Ｖ．１７を指定するＪＭ信号を前記相手先装置へ送信し、前記手順実行手段によるＣＪ信号の受信後に、Ｖ．２７ter 、Ｖ．２９、Ｖ．１７のいずれかの画伝送モードによる画伝送を行うために、前記伝送手段は、Ｖ．２１に規定されるＤＩＳ信号を送信することを特徴とする。
【０００７】
請求項３記載の発明は、相手先装置との間でＩＴＵ−Ｔ勧告Ｖ．８に規定される手順を実行する手順実行工程と、ＩＴＵ−Ｔ勧告に規定されたＶ．３４、Ｖ．１７、Ｖ．２９、Ｖ．２７terの画伝送モードによる画伝送を行う伝送工程とを有するファクシミリ通信方法において、発呼時に、前記手順実行工程で、Ｖ．３４、Ｖ．２７ter 、Ｖ．２９、Ｖ．１７を指定したＣＭ信号を送信した際、Ｖ．３４が指定されているＪＭ信号を前記相手先装置から受信すると、前記手順実行工程によるＣＪ信号の送信後に、Ｖ．３４画伝送モードによる画伝送を行うために、前記伝送工程では、Ｖ．３４に規定されるINFO0c, INFO0a信号を送受信し、一方、Ｖ．３４は指定されていないがＶ．２７ter 、Ｖ．２９、Ｖ．１７の少なくとも１つが指定されているＪＭ信号を前記相手先装置から受信すると、前記手順実行工程によるＣＪ信号の送信後に、Ｖ．２７ter 、Ｖ．２９、Ｖ．１７のいずれかの画伝送モードによる画伝送を行うために、前記伝送工程では、Ｖ．２１に規定されるＤＩＳ信号を受信することを特徴とする。
【０００８】
請求項４記載の発明は、相手先装置との間でＩＴＵ−Ｔ勧告Ｖ．８に規定される手順を実行する手順実行工程と、ＩＴＵ−Ｔ勧告に規定されたＶ．３４、Ｖ．１７、Ｖ．２９、Ｖ．２７terの画伝送モードによる画伝送を行う伝送工程とを有するファクシミリ通信方法において、着呼時に、前記手順実行工程で、Ｖ．３４が指定されているＣＭ信号を受信すれば、Ｖ．３４を指定するＪＭ信号を前記相手先装置へ送信し、前記手順実行工程によるＣＪ信号の受信後に、Ｖ．３４画伝送モードによる画伝送を行うために、前記伝送工程では、Ｖ．３４に規定されるINFO0c, INFO0a信号を送受信し、一方、Ｖ．３４は指定されていないが、Ｖ．２７ter、Ｖ．２９、Ｖ．１７の少なくとも１つが指定されているＣＭ信号を受信すれば、Ｖ．３４は指定しないが、ＣＭ信号により指定されたＶ．２７ter、Ｖ．２９、Ｖ．１７を指定するＪＭ信号を前記相手先装置へ送信し、前記手順実行工程によるＣＪ信号の受信後に、Ｖ．２７ter 、Ｖ．２９、Ｖ．１７のいずれかの画伝送モードによる画伝送を行うために、前記伝送工程では、Ｖ．２１に規定されるDIS信号を送信することを特徴とする。
【００３１】
【実施例】
以下に、本発明の実施例について図面を参照しながら説明する。
【００３２】
まず、ＩＴＵ−Ｔによって勧告化されたＶ．８の手順信号について図８ないし図１３を参照しながら説明する。図８はＩＴＵ−Ｔ勧告Ｖ．８の手順信号に含まれるプレアンブルの構成を示す図、図９はＩＴＵ−Ｔ勧告Ｖ．８の手順信号の情報カテゴリを決定するカテゴリオクテットのフォームを示す図、図１０は起呼機能オクテットのビットの使用例を示す図、図１１はＩＴＵ−Ｔ勧告Ｖ．８の手順信号で指定する変調モードを示す図、図１２はＩＴＵ−Ｔ勧告Ｖ．８の手順信号のプロトコルカテゴリ内部の符号一覧を表す図、図１３はＩＴＵ−Ｔ勧告Ｖ．８の手順信号のＧＳＴＮに接続するセルラーアクセスを示す符号を表す図である。
【００３３】
Ｖ．８の手順信号には、起呼メニュー信号（以下、ＣＭという）と、ＣＭ終端子（以下、ＣＪという）と、共通メニュー信号（以下、ＪＭという）とが含まれている。
【００３４】
ＣＭは、起呼ＤＣＥから送信される信号であり、この信号は主に起呼ＤＥＣで利用可能な変調方式を表示するために使用される。ＣＭは、勧告Ｖ．２１で定義された低域チャンネルＶ．２１（Ｌ）により変調された３００ｂｉｔ／ｓの反復ビット列で構成される。
【００３５】
ＣＪは、ＪＭを検出した確認およびＣＭの終了を示す信号である。ＣＪは３００ｂｉｔ／ｓ  のＶ．２１（Ｌ）で変調され、スターとｂｉｔ／ｓ  およびストップｂｉｔ／ｓ  を含んだ連続する３つの総て「０」のオクテットで構成される。
【００３６】
ＪＭは、応答ＤＥＣから送信される信号であり、この信号は主に起呼および応答ＤＥＣで共通した利用可能な変調方式を示すために使用される。ＪＭは、勧告Ｖ．２１で定義された高域チャンネルＶ．２１（Ｈ）により変調された３００ｂｉｔ／ｓの反復ビット列で構成される。
【００３７】
次に、ＣＭ，ＣＪ，ＪＭの各信号の符号化フォーマットについて図８を参照しながら説明する。
【００３８】
ＣＭ，ＣＪ，ＪＭには共通の符号化フォーマットが使用され、各信号ＣＭ，ＣＪ，ＪＭは、繰り返すビットシーケンスで構成される。１つのシーケンスは、図８に示すように、最初１０個の「１」とそれに続く１０ビットの同期符号、さらに続く情報を載せたオクテットで構成される。各オクテットのそれぞれには、先行するスタートビット（「０」）と後続するストップビット（「１」）が付加される。
【００３９】
ＪＭには、同じＶ．２１（Ｈ）変調を使用している勧告Ｔ．３０との混乱を避けるために、そのビット配置にＨＤＬＣフラグ（０１１１１１１０）が決して現れないような、符号制約条件が課せられている。
【００４０】
各オクテットはある一つの情報カテゴリに属する。大多数の応用によって信号の簡潔さが守られるならば、特別の応用のために情報カテゴリが拡張されることを、この符号化フォーマットは許容している。
【００４１】
一つのシーケンスの最初の情報カテゴリは、起呼機能でなければならない。それに後続する情報カテゴリのなかでは、特に順序は規定されない。１つのカテゴリの中の総ての情報は、１オクテットまたは、必要であれば、順序が決められた１つのオクテット・シーケンスで伝達される。
【００４２】
次に、カテゴリオクテットについて図９を参照しながら説明する。
【００４３】
カテゴリオクテットは、新たな情報カテゴリの中では最初に発生されるオクテットであり、このオクテットには情報カテゴリを決定する４ビットの符号を含んでいる。
【００４４】
このフォーマットは、以下のように構成され、表示されたビットは左から右の順番で送信される。
【００４５】
スタートビット  （０）  ｂｏ  ｂ１  ｂ２  ０  １  ０  ｂ６  ｂ７  ストップビット  （１）
ビットｂ０〜ｂ３は、図９に示すように、ｂ０を最下位ビットとしたカテゴリを形成し、ビットｂ４はフラグが成立しないように「０」に設定される。また、ｂ５〜ｂ７は情報カテゴリのオプションビットである。
【００４６】
３つのオプションビットで特定のカテゴリを表すのに不足する場合は、カテゴリオクテットの直後に、拡張オクテットをいくつでも続けることができる。
【００４７】
この拡張オクテットのフォーマットは、以下に示すように構成される。
【００４８】
スタートビット  （０）  ｂｏ  ｂ１  ｂ２  ０  １  ０  ｂ６  ｂ７  ストップビット  （１）
ビットｂ０〜ｂ２，ｂ６およびｂ７は、そのときのカテゴリに追加される５つのビットである。ビットｂ４は、カテゴリオクテットから拡張オクテットを区別するために、「１」に設定され、ｂ３とｂ５とはフラグが成立しないように「０」に設定される。
【００４９】
次に、ビットｂ０〜ｂ３で決定される情報カテゴリである起呼機能、変調モード、プロトコル、ＧＳＴＮアクセスについてそれぞれ図１０ないし図１４を参照しながら説明する。
【００５０】
起呼機能オクテットの中の３つのオプションビットは、図１０に示すように、の特定の起呼機能を指定するために、使用されている。
【００５１】
ＧＳＴＮで使用可能なＶシリーズ変調モードは、図１１に示すように、３つの符号で指定される。使用可能であるという設定は、表示された起呼機能の中でその変調モードが使用可能であり、かつ遠隔ＤＣＥに対しその能力を伝えたいと望む場合に限られる。
【００５２】
プロトコルカテゴリ内部の符号一覧は、図１２に表されている。もしＬＡＰＭプロトコル符号がＣＭで示され、それを受け取った応答ＤＣＥ側が同じくＬＡＰＭを使用したい場合は、ＪＭでもＬＡＰＭを表示するプロトコルオクテットが表示される。
【００５３】
ＧＳＴＮに接続するセルラーアクセスを表示する符号は、図１３に示されている。
【００５４】
次に、Ｖ．３４に規定されるＩＮＦＯ０の情報ビットについて図１４を参照しながら説明する。図１４はＩＴＵ−Ｔ勧告によるＶ．３４のＩＮＦＯ０シーケンスのビット定義を示す図である。
【００５５】
ＩＮＦＯ０は、送信能力を表示するために使用される信号であり、その信号シーケンスのビットは、図１４に示すように、定義されている。
【００５６】
なお、本実施例では、ＩＮＦＯ０ａを被呼側から送出する信号とし、ＩＮＦＯ０ｃを発呼側から送出する信号とする。
【００５７】
（第１実施例）
本発明の第１実施例について図を参照しながら説明する。図１は本発明のファクシミリ装置の第１実施例の構成を示すブロック図である。
【００５８】
ファクシミリ装置は、図１に示すように、電話回線２ａに接続されている網制御装置（以下、ＮＣＵという。）２を備える。ＮＣＵ２は、電話網をデータ通信などに使用するための回線端末へ接続するなどの電話交換網の接続制御、データ通信路への切替を行い、電話回線２ａと電話機４との接続、および電話回線２ａとハイブリッド回路６との接続を選択的に切り換える。ＮＣＵ２と電話機４とは信号線２ｂで接続され、ＮＣＵ２とハイブリッド回路６とは信号線２ｃで接続されている。ＮＣＵ２の切換動作は後述する制御回路２０で制御される。制御回路２０から信号線２０ａを介して与えられる制御信号が「０」であるとき、電話回線２ａと電話機４との接続が行われる。これに対し、制御信号が「１」であるとき、電話回線２ａとハイブリッド回路６との接続が行われる。なお、通常状態では、電話回線２ａと電話機４との接続が選択されている。
【００５９】
ハイブリッド回路６は、電話回線２ａを介して送信される送信系からの送信信号と、電話回線２ａを介して受信される受信系への受信信号とを分離する。
【００６０】
送信系は、ＣＣＤ（電化結合素子）などの撮像素子と光学系から構成される読取回路１４とＡＮＳａｍ送出回路１０とを有する。
【００６１】
読取回路１４は、送信原稿から主走査方向の１ライン分の画像を順次に読取り、この読み取られた画像を示すデータは信号線１４ａに出力される。
【００６２】
ＡＮＳａｍ送出回路１０は、制御回路２０から信号線２０ｄを介してレベル「１」の信号が与えられるとき、信号線１０ａにＡＮＳａｍ信号を出力する。これに対し、制御回路２０から信号線２０ｄを介してレベル「１」の信号が与えられるとき、信号線１０ａへのＡＮＳａｍ信号の出力は行われない。
【００６３】
読取回路１４から信号線１４ａを介して出力されたデータは制御回路２０に与えられる。制御回路２０は、信号線１４ａを介して取り込まれたデータに対し符号化処理を施し、この符号化されたデータは信号線２０ｂを介して変復調器８に出力される。
【００６４】
変復調器８は、信号線２０ｂからの符号化されたデータに対し変調処理を施し、変調信号を生成するとともに、ハイブリッド回路６から信号線６ａを介して取り込まれた受信信号に対し復調処理を施し、復調データを生成する。この変調処理および復調処理は、ＩＴＵ−Ｔ勧告Ｖ．８，Ｖ．２１，Ｖ．２７ｔｅｒ，Ｖ．２９，Ｖ．１７，Ｖ．３４に基づき行われる。変復調器８による変調、復調処理の内容は制御回路２０から信号線２０ｃを介して与えられる信号によって指示され、この指示された変調、復調処理によって伝送モードが決定される。
【００６５】
変復調器８で生成された変調信号は、信号線８ａを介して加算回路１２に与えられる。加算回路１２は、変復調器８からの変調信号とＡＮＳａｍ送出回路１０からのＡＮＳａｍ信号とを加算する。その加算された信号はハイブリッド回路６に信号線１２ａを介して出力され、ハイブリッド回路６は前記加算された信号を送信信号としてＮＣＵ２経由で電話回線２ａに送出する。
【００６６】
これに対し、受信系では、相手装置からＮＣＵ２経由で受信した信号がハイブリッド回路６から信号線６ａを介して変復調器８に出力される。変復調器８は、上述したように、信号線６ａを介して取り込まれた受信号に対し復調処理を施し、復調データを生成する。変復調器８で生成された復調データは、信号線２０ｃを介して制御回路２０に与えられる。制御回路２０は、復調データに対し復号化などの処理を施し、復号化されたデータは信号線２０ｅを介して記録回路１６に与えられる。
【００６７】
記録回路１６は、復号化されたデータが示す画像を１ライン毎に順次に記録紙に記録する。
【００６８】
読取回路１４で読み取られたデータ、そのデータを符号化したデータ、受信したデータ、そのデータを復号化したデータは、必要に応じてメモリ回路１８に格納される。
【００６９】
制御回路２０は、相手先装置からの情報を受信し、相手先装置へ情報を送信するための伝送制御を行う。
【００７０】
この伝送制御を規定する伝送制御手順には、ＩＴＵ−Ｔ勧告Ｖ．８，Ｖ．２１，Ｖ．２７ｔｅｒ，Ｖ．２９，Ｖ．１７，Ｖ．３４の各手順が用いられている。具体的には、本実施例のファクシミリ装置を発呼端末として使用し、Ｖ．８手順をサポートする相手先装置（被呼端末）への発呼時に、被呼端末からのＡＮＳａｍ信号を受信し、被呼端末へＶ．３４の画伝送が可能な旨を示すＣＭ信号を送信し、被呼端末側からＪＭ信号を受信し、このＪＭ信号がＶ．３４の画伝送を行う旨を示すとき、被呼端末へＣＪ信号を送信するＶ．８手順が実行され、この手順の実行後、ＩＮＦＯ０ｃ，ＩＮＦＯ０ａの送受信への移行、すなわちＶ．３４の手順、画伝送への移行をするための制御が行われる。これに対し、被呼端末がＶ．３４をサポートしていないとき、被呼端末からのＪＭ信号はＶ．２７ｔｅｒ，Ｖ．２９，Ｖ．１７のいずれかの画伝送を行う旨を示すから、被呼端末へのＣＪ信号の送信後、ＮＳＦ／ＣＳＩ／ＤＩＳ信号の受信、すなわちＶ．２１手順の実行、Ｖ．２７ｔｅｒ，Ｖ．２９，Ｖ．１７のいずれかの画伝送の実行をするための制御が行われる。
【００７１】
次に、本実施例のファクシミリ装置を発呼端末として使用し、Ｖ．８手順をサポートする相手先装置（被呼端末）への送信時における制御回路２０の動作を図２を参照しながら説明する。図２は図１のファクシミリ装置を発呼端末として使用し、Ｖ．８手順をサポートする相手先装置（被呼端末）への送信時における制御回路の動作を示すフローチャートである。
【００７２】
図２を参照するに、まず、ステップＳ３２が実行される。ステップＳ３２では、信号線２０ａにレベル「０」の信号を出力し、ＣＭＬをオフする。
【００７３】
ステップＳ３４では、信号線２０ｄにレベル「０」の信号を出力することによって、ＡＮＳａｍ信号を出力しないように設定する。
【００７４】
次いで、ステップＳ３６が実行され、ステップＳ３６では、発呼が選択されたか否かを判定する。発呼が選択されないと、ステップＳ３８が実行され、発呼が選択されると、ステップＳ３９が実行される。
【００７５】
ステップＳ３８では、その他の処理が実行される。その他の処理の実行後、処理は再びステップＳ３２に戻る。
【００７６】
ステップＳ３９では、信号線２０ａにレベル「１」の信号を出力し、ＣＭＬをオンする。
【００７７】
ステップＳ３９実行後、ステップＳ４０が実行される。ステップＳ４０では、被呼端末からのＡＮＳａｍ信号の受信を行う。
【００７８】
次いで、ステップＳ４２が実行される。ステップＳ４２では、Ｖ．２１，Ｖ．２７ｔｅｒ，Ｖ．２９半二重，Ｖ．１７，Ｖ．３４半二重の通信が可能なことを示すＣＭ信号を送信する。このＣＭ信号では、図１１に示す項目「１２」，「７」，「６」，「５」，「２」をそれぞれ「１」としている。
【００７９】
ＣＭ信号の送信後、ステップＳ４４が実行される。ステップＳ４４では、被呼端末からのＪＭ信号を受信し、このＪＭ信号が示す伝送モードを判定する。なお、ＪＭ信号の判定後には、ＣＪ信号が被呼端末へ送出される。
【００８０】
被呼端末からのＪＭ信号がＶ．３４半二重通信可を示すとき、すなわち図１１に示す項目「２」が「１」であるとき、ステップＳ４６が実行される。ステップＳ４６では、ＩＮＦＯ０ｃの送信後、Ｖ．３４による手順、画伝送を実行する。
【００８１】
被呼端末からのＪＭ信号がＶ．２１手順可かつＶ．２７ｔｅｒ，Ｖ．２９半二重，Ｖ．１７通信可を示すとき、すなわち図１１に示す項目「１２」が「１」でかつ項目「７」，「６」，「５」のいずれかが「１」であるとき、ステップＳ４８が実行される。ステップＳ４８では、ＮＳＦ／ＣＳＩ／ＤＩＳ信号の受信、すなわちＶ．２１手順の実行、Ｖ．２７ｔｅｒ，Ｖ．２９，Ｖ．１７のいずれかの画伝送の実行をする。
【００８２】
次に、上述の伝送制御手順について図３および図４を参照しながら説明する。図３は図１のファクシミリ装置に適用される伝送制御手順の一例を示す図、図４は図１のファクシミリ装置に適用される伝送制御手順の他の例を示す図である。
【００８３】
まず、被呼端末からのＡＮＳａｍ信号の受信からＶ．３４の手順、画伝送の実行までの伝送制御手順について図３を参照しながら説明する。
【００８４】
図３を参照するに、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが被呼端末に通知される。
【００８５】
ＣＭ信号を受信した被呼端末は、ＣＭ信号で指定された伝送モードの中で受信可能な伝送モード（Ｖ．３４）を発呼端末に通知し、この通知にＪＭ信号が用いられる。
【００８６】
ＪＭ信号を受信した発呼端末は、ＣＪ信号を送出することによって、伝送モードを被呼端末に通知する。
【００８７】
ＣＪ信号送出後すなわちＶ．８手順完了後５０ｍｓｅｃが経過した後に、発呼端末は、Ｖ．３４手順の実行を開始し、電話回線２ａの状況をチェックするためのラインプルービング信号（先頭にＩＮＦＯ０ｃが付加されている）を送出する。被呼端末は、発呼端末からのラインプルービング信号に応答した信号（先頭にＩＮＦＯ０ａが付加されている）を送出し、この信号によって以後の送出レベル、振幅レベルの補正、伝送ボーレートを発呼端末に通知する。
【００８８】
発呼端末は、ランプルービング信号送出後５０ｍｓｅｃが経過した後に、ロングトレーニング信号を送出し、被呼端末は、このロングトレーニング信号に基づきモデムの等化器の調整、タイミング検出などを実施する。
【００８９】
発呼端末は、ロングトレーニング信号送出後５０ｍｓｅｃが経過した後に、パラメータ交換信号を送出する。被呼端末は、パラメータ交換信号に応答した信号を送出し、この信号によって以後のリンク補正、ビットレートを発呼端末に通知する。
【００９０】
パラメータ交換信号に応答した後、被呼端末は、ＣＳＩ，ＤＩＳ信号を送出し、発呼端末からのＴＳＩ，ＤＣＳ信号を受信するまでフラグを送出し、ＴＳＩ，ＤＣＳ信号受信後、ＣＦＲ信号を送出する。発呼端末は、ＣＳＩ，ＤＩＳ信号を受信した後、ＴＳＩ，ＤＣＳ信号を送出し、被呼端末からのＣＦＲ信号を受信するまでフラグを送出する。
【００９１】
発呼端末は、フラグの送出後５０ｍｓｅｃ経過後に、Ｖ．３４による画伝送を開始し、画信号を送出する。画信号送出終了後５０ｍｓｅｃ経過後に、Ｖ．３４による手順が実行され、発呼端末からは、ＰＰＳ−ＭＰＳ信号が送出され、被呼端末からのＭＣＦ信号を受信するまで、フラグが送出される。被呼端末は、ＰＰＳ−ＭＰＳ信号受信後、ＭＣＦ信号を送出する。
【００９２】
フラグの送出後５０ｍｓｅｃ経過後に、Ｖ．３４による画伝送が実行され、発呼端末からは、再び、画信号が送出される。画信号送出終了後５０ｍｓｅｃ経過後に、Ｖ．３４による手順が実行され、発呼端末は、ＰＰＳ−ＥＯＰ信号を送出し、ＭＣＦ信号を受信するまでフラグを送出する。被呼端末は、ＰＰＳ−ＥＯＰ信号受信後、ＭＣＦ信号を送出する。以降、同様の手順が画伝送が終了するまで繰り返される。
【００９３】
次に、被呼端末からのＡＮＳａｍ信号の受信からＶ．２１の手順、Ｖ．１７の画伝送の実行までの伝送制御手順について図４を参照しながら説明する。
【００９４】
図４を参照するに、まず、ＡＮＳａｍ，ＣＭ，ＪＭ，ＣＪの各信号の送受を行うＶ．８手順が実行され、発呼端末に受信可能な伝送モードとして、Ｖ．２１手順、Ｖ．１７画伝送が可能であることが通知される。Ｖ．８手順終了後、Ｖ．２１による手順が実行され、ＮＳＦ／ＣＳＩ／ＤＩＳ，ＴＳＩ／ＤＣＳ，Ｔｒ・ＴＣＦ，ＣＦＲの各信号の送受が行われる。この信号送受の完了後、Ｖ．１７による画伝送が実行され、Ｖ．２１手順によるＰＰＳ−ＥＯＰ，ＭＣＦ，ＤＣＮの各信号の送受が行われる。
【００９５】
以上により、Ｖ．８に規定されているＣＭ，ＪＭの各信号によって、Ｖ．２１，Ｖ．２７ｔｅｒ，Ｖ．２９半二重，Ｖ．１７の通信と、Ｖ．３４の半二重通信とのいずれを使用するかを宣言することができ、Ｖ．８手順を有効に利用することができる。
【００９６】
（第２実施例）
次に、本発明の第２実施例について図を参照しながら説明する。
【００９７】
本実施例のファクシミリ装置は、第１実施例のファクシミリ装置と同じ構成を有し、本実施例では、Ｖ．８による手順およびＶ．３４による手順、画伝送をサポートする第１実施例と異なり、Ｖ．８による手順をサポートするが、Ｖ．３４による手順、画伝送をサポートしない。
【００９８】
次に、本実施例のファクシミリ装置を発呼端末として使用し、Ｖ．８手順をサポートする相手先装置（被呼端末）への送信時における制御回路２０の動作を図５を参照しながら説明する。図５は本発明のファクシミリ装置の第２実施例を発呼端末として使用し、Ｖ．８手順をサポートする相手先装置（被呼端末）への送信時における制御回路の動作を示すフローチャートである。なお、本図は第１実施例と異なるステップを示し、この異なるステップについて説明する。
【００９９】
ステップＳ４０（図２に示す）で被呼端末からのＡＮＳａｍ信号を受信すると、図５に示すように、ステップＳ５２が実行される。
【０１００】
ステップＳ５２では、Ｖ．２１，Ｖ．２７ｔｅｒ，Ｖ．２９半二重，Ｖ．１７の通信が可能なことを示すＣＭ信号を送信する。このＣＭ信号では、図１１に示す項目「１２」，「７」，「６」，「５」をそれぞれ「１」としている。
【０１０１】
ＣＭ信号の送信後、ステップＳ５４が実行される。ステップＳ５４では、被呼端末からのＪＭ信号を受信し、このＪＭ信号が示す伝送モードを判定する。なお、ＪＭ信号の判定後には、ＣＪ信号が被呼端末へ送出される。
【０１０２】
次いで、ステップＳ４８（図２に示す）が実行される。ステップＳ４８では、ＮＳＦ／ＣＳＩ／ＤＩＳ信号の受信、すなわちＶ．２１手順の実行、Ｖ．２７ｔｅｒ，Ｖ．２９，Ｖ．１７のいずれかの画伝送の実行をする。
【０１０３】
（第３実施例）
次に、本発明の第３実施例について図を参照しながら説明する。
【０１０４】
本実施例のファクシミリ装置は、第１実施例のファクシミリ装置と同じ構成を有する。本実施例では、Ｖ．８手順およびＶ．３４手順、画伝送をサポートする被呼端末として使用し、着呼時に、発呼端末にＡＮＳａｍ信号を送信し、発呼端末からＶ．３４の画伝送が可能な旨を示すＣＭ信号を受信し、発呼端末へＶ．３４の画伝送を行う旨を示すＪＭ信号を送信し、発呼端末からＣＪ信号を受信するＶ．８手順の実行後、ＩＮＦＯ０ｃ，ＩＮＦＯ０ａの送受信への移行、すなわちＶ．３４の手順、画伝送への移行をするための制御が行われる。これに対し、発呼端末がＶ．３４をサポートしていないとき、発呼端末からのＣＭ信号はＶ．２７ｔｅｒ，Ｖ．２９，Ｖ．１７のいずれかの画伝送を行う旨を示すから、発呼端末へＶ．２７ｔｅｒ，Ｖ．２９，Ｖ．１７のいずれかの画伝送を行う旨を示すＪＭ信号を送信し、発呼端末からのＣＪ信号の受信後、ＮＳＦ／ＣＳＩ／ＤＩＳ信号の送信、すなわちＶ．２１手順の実行、Ｖ．２７ｔｅｒ，Ｖ．２９，Ｖ．１７のいずれかの画伝送の実行をするための制御が行われる。
【０１０５】
次に、本実施例のファクシミリ装置を被呼端末として使用し、Ｖ．８手順をサポートする相手先装置（発呼端末）からの受信時における制御回路２０の動作を図６を参照しながら説明する。図６は本発明のファクシミリ装置の第３実施例を被呼端末として使用し、Ｖ．８手順をサポートする相手先装置（発呼端末）からの受信時における制御回路の動作を示すフローチャートである。なお、本図は第１実施例と異なるステップを示し、この異なるステップについて説明する。
【０１０６】
ステップＳ３８（図２に示す）でその他の処理の実行後、図６に示すように、ステップＳ６２が実行され、ステップＳ６２では、着呼が選択されたか否かの判定を行う。着呼が選択されると、ステップＳ６６が実行され、着呼が選択されないと、ステップＳ３２（図２に示す）が実行される。
【０１０７】
ステップＳ６６では、信号線２０ａにレベル「１」の信号を出力し、ＣＭＬをオンする。
【０１０８】
ステップＳ６６の実行後、ステップＳ６８が実行される。ステップＳ６８では、信号線２０ｄにレベル「１」の信号を出力することによって、ＡＮＳａｍ送出回路１０からＡＮＳａｍ信号を出力する。
【０１０９】
次いで、ステップＳ７０が実行される。ステップＳ７０では、発呼端末からのＣＭ信号を受信し、このＣＭ信号が示す伝送モードを判定する。ＣＭ信号がＶ．３４半二重の通信が可能なことを示すとき、すなわち図１１に示す項目「２」が「１」であるとき、ステップＳ７２が実行され、ステップＳ７２では、Ｖ．２１，Ｖ．２７ｔｅｒ，Ｖ．２９半二重，Ｖ．１７，Ｖ．３４半二重の通信が可能なことを示すＪＭ信号を送信する。
【０１１０】
ステップＳ７２の実行後、ステップＳ７４が実行され、ステップＳ７４では、発呼端末からのＣＪ信号を受信する。
【０１１１】
ＣＪ信号の受信後、ステップＳ７６が実行され、ステップＳ７６では、ＩＮＦＯ０ａの送信後、Ｖ．３４による手順、画伝送を実行する。ステップＳ７６の実行後、処理はステップＳ３２（図２に示す）へ移行する。
【０１１２】
発呼端末からのＣＭ信号がＶ．２１，Ｖ．２７ｔｅｒ，Ｖ．２９半二重，Ｖ．１７の通信が可能で、Ｖ．３４の半二重通信が不可であることを示すとき、すなわち図１１に示す項目「１２」が「１」でかつ項目「７」，「６」，「５」のいずれかが「１」であるとき、ステップＳ７８が実行され、ステップＳ７８では、Ｖ．２１，Ｖ．２７ｔｅｒ，Ｖ．２９半二重，Ｖ．１７の通信が可能であることを示すＪＭ信号を送信する。
【０１１３】
ステップＳ７８の実行後、ステップＳ８０が実行され、ステップＳ８０では、発呼端末からのＣＪ信号を受信する。
【０１１４】
ＣＪ信号の受信後、ステップＳ８２が実行され、ステップＳ８２では、ＮＳＦ／ＣＳＩ／ＤＩＳ信号の送信、すなわちＶ．２１手順の実行、Ｖ．２７ｔｅｒ，Ｖ．２９，Ｖ．１７のいずれかの画伝送の実行をする。ステップＳ８２の実行後、処理はステップＳ３２（図２に示す）へ移行する。
【０１１５】
（第４実施例）
次に、本発明の第４実施例について図を参照しながら説明する。
【０１１６】
本実施例のファクシミリ装置は、第１実施例のファクシミリ装置と同じ構成を有する。本実施例では、Ｖ．８手順およびＶ．３４手順、画伝送をサポートする第３実施例と異なり、Ｖ．３４手順、画伝送をサポートしない。
【０１１７】
次に、本実施例のファクシミリ装置を被呼端末として使用し、Ｖ．８手順をサポートする相手先装置（発呼端末）からの受信時における制御回路２０の動作を図７を参照しながら説明する。図７は本発明のファクシミリ装置の第４実施例を被呼端末として使用し、Ｖ．８手順をサポートする相手先装置（発呼端末）からの受信時における制御回路の動作を示すフローチャートである。なお、本図は第３実施例と異なるステップを示し、この異なるステップについて説明する。
【０１１８】
図７を参照するに、ステップＳ９０では、図６に示すステップＳ７０において、発呼端末からのＣＭ信号が示す伝送モードを判定し、ＣＭ信号がＶ．３４半二重の通信が可能なことを示すとき、被呼端末がＶ．３４をサポートしていないから、図６に示すステップＳ７８が実行される。すなわち、発呼端末がＶ．３４半二重の通信可能であるか否かにかかわらず、Ｖ．２１，Ｖ．２７ｔｅｒ，Ｖ．２９半二重，Ｖ．１７の通信が可能であることを示すＪＭ信号が送信される。
【０１１９】
なお、上述の各実施例では、Ｖ．８に規定されているＣＭ，ＪＭの各信号によって、Ｖ．２１，Ｖ．２７ｔｅｒ，Ｖ．２９半二重，Ｖ．１７の通信と、Ｖ．３４の半二重通信とのいずれを使用するかを宣言する例について説明したが、図１１から明らかなように、Ｖ．３４全二重、Ｖ．３４半二重、Ｖ．３２ｂｉｓ／Ｖ．３２、Ｖ．２２ｂｉｓ／Ｖ．２２、Ｖ．１７、Ｖ．２９半二重、Ｖ．２７ｔｅｒ、Ｖ．２６ｔｅｒ、Ｖ．２６ｂｉｓ、Ｖ．２３全二重、Ｖ．２３半二重、Ｖ．２１のそれぞれについて使用の可不可をＣＭ，ＪＭ信号によって宣言することができる。
【０１２０】
【発明の効果】
以上に説明したように、本発明によれば、ＩＴＵ−Ｔ勧告Ｖ．８手順に基づきＶ．３４ではない画伝送モードが決定でき、Ｖ．８手順を有効に利用することができる。特に、自分側は、Ｖ．３４手順を持つが、相手側がＶ．３４手順を持たない場合、Ｖ．８手順を使用して通信が実行可能となる。
【図面の簡単な説明】
【図１】本発明のファクシミリ装置の第１実施例の構成を示すブロック図である。
【図２】図１のファクシミリ装置を発呼端末として使用し、Ｖ．８手順をサポートする相手先装置（被呼端末）への送信時における制御回路の動作を示すフローチャートである。
【図３】図１のファクシミリ装置に適用される伝送制御手順の一例を示す図である。
【図４】図１のファクシミリ装置に適用される伝送制御手順の他の例を示す図である。
【図５】本発明のファクシミリ装置の第２実施例を発呼端末として使用し、Ｖ．８手順をサポートする相手先装置（被呼端末）への送信時における制御回路の動作を示すフローチャートである。
【図６】本発明のファクシミリ装置の第３実施例を被呼端末として使用し、Ｖ．８手順をサポートする相手先装置（発呼端末）からの受信時における制御回路の動作を示すフローチャートである。
【図７】本発明のファクシミリ装置の第４実施例を被呼端末として使用し、Ｖ．８手順をサポートする相手先装置（発呼端末）からの受信時における制御回路の動作を示すフローチャートである。
【図８】ＩＴＵ−Ｔ勧告Ｖ．８の手順信号に含まれるプレアンブルの構成を示す図である。
【図９】ＩＴＵ−Ｔ勧告Ｖ．８の手順信号の情報カテゴリを決定するカテゴリオクテットのフォームを示す図である。
【図１０】起呼機能オクテットのビットの使用例を示す図である。
【図１１】ＩＴＵ−Ｔ勧告Ｖ．８の手順信号で指定する変調モードを示す図である。
【図１２】ＩＴＵ−Ｔ勧告Ｖ．８の手順信号のプロトコルカテゴリ内部の符号一覧を表す図である。
【図１３】ＩＴＵ−Ｔ勧告Ｖ．８の手順信号のＧＳＴＮに接続するセルラーアクセスを示す符号を表す図である。
【図１４】ＩＴＵ−Ｔ勧告Ｖ．３４のＩＮＦＯ０シーケンスのビット定義を示す図である。
【符号の説明】
２  ＮＣＵ
６  ハイブリッド回路
８  変復調器
１０  ＡＮＳａｍ送出回路
２０  制御回路
【図１】
0003584075.tif 000002
【図２】
0003584075.tif 000003
【図３】
0003584075.tif 000004
【図４】
0003584075.tif 000005
【図５】
0003584075.tif 000006
【図６】
0003584075.tif 000007
【図７】
0003584075.tif 000008
【図８】
0003584075.tif 000009
【図９】
0003584075.tif 000010
【図１０】
0003584075.tif 000011
【図１１】
0003584075.tif 000012
【図１２】
0003584075.tif 000013
【図１３】
0003584075.tif 000014
【図１４】
0003584075.tif 000015